(57)【要約】      （修正有）【課題】マスクのコストを抑制するため材料を追加しないように音声がしっかり伝えられるようにするマスクを提供する。【解決手段】複数の通気ピンホールである通気構造と、通気ピンホールを有さない伝音構造１１とを備える本体を含み、前記伝音構造は、通気マスクで伝音領域を特定し、マスクの内側と外側方向にヒートシールを行い、前記ヒートシールによって伝音領域における複数の通気ピンホールが熱溶接で無孔構造になる方法で製造されることを特徴とする音声伝送通気マスクであり、前記通気マスクは伝音構造の外周にある環状の無孔構造を有し、且つ音声拡大効果を有する折りリングを更に含んでもよい。【選択図】図２
2020186509.tif 000002
【特許請求の範囲】
【請求項１】
空気が通る繊維の複数の隙間を有する通気領域と、前記隙間を有さない音声通過領域とを備えるマスク本体を含み、
前記音声通過領域は、装着時に携帯電話のマイクロフォンの位置に対応する位置で、マスクの内側層と外側層とを四角形状又は円形状の１つのヒートシールでシールした領域である音声通過通気マスク。
【請求項２】
前記音声通過領域の長さと幅、又は直径は０．５〜２センチである請求項１に記載の音声通過通気マスク。
【請求項３】
前記音声通過通気マスクは１層、２層又は３層、或は３層以上の構造を有し、このうち、前記ヒートシールにより各層を互いに溶着させる請求項１に記載の音声通過通気マスク。
【請求項４】
前記音声通過通気マスクの材料は人工繊維である請求項１に記載の音声通過通気マスク。
【請求項５】
前記人工繊維は、ポリウレタン（ＰＵ、ｐｏｌｙｕｒｅｔｈａｎｅｓ）、ポリエチレン（ＰＥ、Ｐｏｌｙｅｔｈｙｌｅｎｅ）、ポリエチレンテレフタレート  （ＰＥＴ  、ｐｏｌｙｅｔｈｙｌｅｎｅ  ｔｅｒｅｐｈｔｈａｌａｔｅ）、ポリプロピレン（ＰＰ  、Ｐｏｌｙｐｒｏｐｙｌｅｎｅ）、ポリブチレン（ＰＢ、Ｐｏｌｙｂｕｔｙｌｅｎｅ）、ポリスチレン（ＰＳ、Ｐｏｌｙｓｔｙｒｅｎｅ）からなる群から選ばれる請求項４に記載の音声通過通気マスク。
【請求項６】
ヒートシール後に前記シールされたところで特定色を呈するように、前記通気マスクのいずれか一層に特定色の不織布を設ける請求項１に記載の音声通過通気マスク。  
【発明の詳細な説明】
【技術分野】
【０００１】
本発明は、音声を伝えられる通気マスクに関する。本発明により、マスクを外さずに音声をしっかり伝えられる。
【背景技術】
【０００２】
マスクによって空気における有害物質が呼吸を通して人体に吸い込まれることが避けられる。工業化の発展に伴い、空気汚染も益々深刻になり、とくに粉じんの問題について、マスクを掛ける人の数も多くなり、インフルエンザの期間にわたって、伝染されないように数多くの人がいつもマスクを掛けている。
【０００３】
マスクは空気における埃、細菌、ウイルス、化学気体、花粉などの有害物質を阻隔できるが、空気を進出させるため、マスクの主体はほとんど多孔性材料であり、このうち、マスクのピンホール構造が音声を吸収し、マスクを掛けて喋る場合に声が小さくなり、かつ歪んでしっかり聞こえない。
【０００４】
近年、人々が携帯電話を持っており、マスクを掛けたまま電話に出る機会が増えるが、マスクの吸音問題で要事を話し合う時、大部分の人がマスクを外して電話をする形になり、これにより、マスクの保護機能がなくなる。
【０００５】
したがって、音声をしっかり伝えられるマスクを設計する必要があり、マスクを掛ける場合に人の声もよく伝えられることがマスクの機能として現代人にとって大切なのである。
【０００６】
台湾の実用新案Ｍ５３６０７０は本考案の創作者による先願であって、ホールが設けられる主体と、通音膜を有する通音構造とを含み、マスク内部の音声がホール及び通音構造を介してしっかりとマスクの外部に伝えられることを特徴とするマスクである。このマスクによって、喋る時にマスクを外さずに音声をマスクの外部に伝えられる。この前願において通音膜を介してマスク内部の音声が伝えられるが、封口が密着していないことによるマスクの保護性能を失って更に音声の伝えに影響を及ばす恐れがあり、一方、粘着剤で通音膜を固定する場合、粘着剤における揮発性有機溶媒が健康に悪いおそれがあるうえで、もう一枚の通音膜を更に設けることもマスクのコスト向上に関係している。
【発明の概要】
【発明が解決しようとする課題】
【０００７】
したがって、マスクのコストを抑制するため材料を追加しないように音声がしっかり伝えられることは、本発明が解決すべき重要な課題になる。
【課題を解決するための手段】
【０００８】
本発明の目的は、複数の通気ピンホールである通気構造と、通気ピンホールを有さない伝音構造とを備える本体を含み、前記伝音構造は、通気マスクで伝音領域を特定し、マスクの内側と外側方向にヒートシールを行い、前記ヒートシールによって伝音領域における複数の通気ピンホールが熱溶接で無孔構造になる方法で製造されることを特徴とする音声伝送通気マスクを提供する。
【０００９】
上記の発明の目的を達成するために、前記伝音領域の長さと幅、又は直径は０．５〜２センチである。
【００１０】
上記発明の目的を達成するために、前記通気マスクは１層、２層又は３層、或は３層以上の構造を有し、このうち、前記ヒートシールにより各層を互いに溶着させる。
【００１１】
上記発明の目的を達成するために、前記通気マスクの材料は人工繊維から選ばれる。
【００１２】
上記発明の目的を達成するために、前記人工繊維は、ポリウレタン（ＰＵ、ｐｏｌｙｕｒｅｔｈａｎｅｓ）、ポリエチレン（ＰＥ、Ｐｏｌｙｅｔｈｙｌｅｎｅ）、ポリエチレンテレフタレート  （ＰＥＴ  、ｐｏｌｙｅｔｈｙｌｅｎｅ  ｔｅｒｅｐｈｔｈａｌａｔｅ）、ポリプロピレン  （ＰＰ  、Ｐｏｌｙｐｒｏｐｙｌｅｎｅ）、ポリブチレン（ＰＢ、Ｐｏｌｙｂｕｔｙｌｅｎｅ）、ポリスチレン（ＰＳ、Ｐｏｌｙｓｔｙｒｅｎｅ）からなる群から選ばれる。
【００１３】
上記発明の目的を達成するために、ヒートシール後に前記シールされたところで特定色を呈するように、前記通気マスクのいずれか一層に特定色の不織布を設ける。
【００１４】
本発明の他の目的は、複数の通気ピンホールである通気構造と、通気ピンホールを有さない伝音構造と、通気ピンホールを有さない折りリングとを備える本体を含み、前記折りリングは伝音構造の外周にある環状構造であり、前記伝音構造は、通気マスクで伝音領域を特定し、マスクの内側と外側方向にヒートシールを行い、前記ヒートシールによって伝音領域における複数の通気ピンホールが熱溶接で無孔構造になる方法で製造され、前記折りリングは、前記通気マスクの伝音構造の外周で音声拡大領域を選定し、マスクの内側と外側方向にヒートシールを行うことによって通気ピンホールが溶接で無孔構造になり、前記折りリングの数量は一つ又は一つ以上であることを特徴とする音声拡大機能を有する音声伝送通気マスクを提供する。
【００１５】
上記発明の目的を達成するために、前記伝音領域の長さと幅、又は直径は０．５〜２センチであり、前記折りリングの長さと幅、又は直径は０．６〜３センチである。
【００１６】
上記発明の目的を達成するために、前記通気マスクは１層、２層又は３層、或は３層以上の構造を有し、このうち、前記ヒートシールにより各層を互いに溶着させる。
【００１７】
上記発明の目的を達成するために、前記通気マスクの材料は人工繊維から選ばれる。
【００１８】
上記発明の目的を達成するために、前記人工繊維は、ポリウレタン、ポリエチレン、ポリエチレンテレフタレート、ポリプロピレン、ポリブチレン、ポリスチレンからなる群から選ばれる。
【００１９】
上記発明の目的を達成するために、ヒートシール後に前記シールされたところで特定色を呈するように、前記通気マスクのいずれか一層に特定色の不織布を設ける。
【図面の簡単な説明】
【００２０】
【図１】伝音構造マスクを示す図である。
【図２】伝音構造マスクの断面図である。
【図３】折りリングを有する伝音構造マスクを示す図である。
【図４】折りリングを有する伝音構造マスク断面図である。
【発明を実施するための形態】
【００２１】
以下は実施例で本発明を更に説明するが、本発明はこれらの実施例に限定されるものではない。
実施例１  一層構造を有する伝音マスク
【００２２】
図１には、単層ポリプロピレン（ＰＰ）繊維不織布であるマスク本体（１０）を有するマスク（１）が示されている。超音波シール機によって前記マスクの右下部でシールを行い、シールされたところは、ヒートシールの高温でＰＰ繊維のピンホールが互いに溶着して直径０．５〜２センチの円形の伝音構造（１１）になり、シールされたところは透明であってもよいが、これに限定されていない。マスクの材料は、ポリプロピレン以外、他の人工繊維、例えば、ポリウレタン、ポリエチレン、ポリエチレンテレフタレート、ポリブチレンまたはポリスチレンで置換されてもよい。
【００２３】
マスクの効果は以下の通りである。マスクを掛ける状態で右手で携帯電話を持ちながら話すことによって伝音効果を試験する結果、携帯電話を介して使用者の声がはっきり聞こえる一方、伝音構造（１１）がない左側で、音量が小さくなるとともに、音声が歪んだ状況が発生した。試験によって、マスクにおいてシールされたところは、ピンホールによる音声吸収がないので、音声が有効に伝送できる。
実施例２  彩色の伝音構造を有するマスク
【００２４】
ＰＰ繊維マスクにおいて、マスク内部のいずれか一層に特定色の不織布を設け、マスクの下方中央部で超音波シール機によってシールを行い、シールされたところでＰＰ繊維のピンホールがヒートシールの高温で互いに溶着されて直径０．５〜２センチの円形の伝音構造になり、また、シールされたところのＰＰ材料は透明であるので、上記の特定色を示させる。マスクの材料は、ポリプロピレン以外、他の人工繊維、例えば、ポリウレタン、ポリエチレン、ポリエチレンテレフタレート、ポリブチレンまたはポリスチレンで置換されてもよい。
【００２５】
マスクの効果は以下の通りである。マスクを掛ける状態で右手で携帯電話を持ちながら話すことによって伝音効果を試験する結果、携帯電話を介して使用者の声がはっきり聞こえる一方、マスクにおいてシールされたところは、ピンホールによる音声吸収がないので、音声が有効に伝送できると分かる。また、シールされたところが特定色を呈しているので、用途又は使用者によって区別できる利点があり、マスクの見た目を更に綺麗にすることができる。
実施例３    三層構造を有する伝音マスク
【００２６】
図１において、本体（１０）がポリエチレン繊維不織布である三層マスク（１）が示されている。前記マスクの下方中央部で、超音波シール機によってシールを行い、シールされたところでＰＥ繊維のピンホールがヒートシールの高温によって互いに溶着して寸法が０．５〜２センチの四角形の伝音構造（１１）を形成する。マスクの断面は図２に示され、伝音構造（１１）でマスク内層（１０１）、マスク中間層（１０２）及びマスク外層（１０３）の三層がヒートシールによって粘着されてピンホールを有さない状態になる。シールされたところは透明であってもよいが、これに限定されていない。マスクの材料は、ポリエチレン（ＰＥ）以外、他の人工繊維、例えば、ポリウレタン、ポリプロピレン、ポリエチレンテレフタレート、ポリブチレンまたはポリスチレンで置換されてもよい。
【００２７】
マスクの効果は以下の通りである。マスクを掛ける状態で右手で携帯電話を持ちながら話すことによって伝音効果を試験する結果、携帯電話を介して使用者の声がはっきり聞こえる一方、伝音構造（１１）がない左側で、音量が小さくなるとともに、音声が歪んだ状況が発生した。試験によって、マスクにおいてシールされたところは、ピンホールによる音声吸収がないので、音声が有効に伝送できる。
実施例４  音声拡大効果を有する伝音マスク
【００２８】
図３において、ＰＥＴ繊維不織布である本体（１０）を含む三層マスク（１）が示されている。前記マスクの右下部で、超音波シール機によってシールを行い、シールされたところ（１１）でＰＥＴ繊維のピンホールがヒートシールの高温で互いに溶着されており、シールされたところは、直径０．５〜２センチの円形の伝音構造（１１）が形成されるとともに、前記円の外周に環状構造の折りリング（１２）が形成され、この折りリングの直径又は寸法が０．６〜３センチである。マスクの断面は図４で示され、マスク内層（１０１）、マスク中間層（１０２）、マスク外層（１０３）が伝音構造（１１）と折りリング（１２）にある部分は、ヒートシールで三層が粘着されるのでピンホールを有さず、シールされたところは透明であってもよいが、これに限られていない。マスクの材料は、ＰＥＴ以外、他の人工繊維、例えば、ポリウレタン、ポリエチレン、ポリプロピレン、ポリブチレンまたはポリスチレンで置換されてもよい。
【００２９】
マスクの効果は以下の通りである。マスクを掛けた状態で右手で携帯電話を持ちながら話すことによって伝音効果を試験した結果、携帯電話を介して使用者の声が大きくてはっきり聞こえる一方、伝音構造（１１）がない左側で、音量が小さくなるとともに、音声が歪んだ状況が発生した。試験によって、マスクにおいてシールされたところは、ピンホールによる音声吸収がないので、音声が有効に伝送できる。また、伝音構造の外周にある折りリングの構造は、スピーカのエッジと似ているので、折りリングは、縦波が中央部の伝音構造においてパワーと弾力とを向上させ、音声拡大の効果をもたらせる。
【００３０】
以上の詳細な説明は、本発明の実行できる実施例に対する具体的な説明であり、ただし、これらの実施例は本発明の特許請求の範囲を限定するものではなく、本発明の技術特徴から脱しない均等的な実施或いは変更はいずれも本願の特許請求の範囲に含まれるべきである。
【符号の説明】
【００３１】
１        マスク
１０      マスク本体
１１      伝音構造
１０１    マスク内層
１０２    マスク中間層
１０３    マスク外層
１２      折りリング
【図１】
2020186509.tif 000003
【図２】
2020186509.tif 000004
【図３】
2020186509.tif 000005
【図４】
2020186509.tif 000006